(57)【要約】【課題】温度が過度に高い熱風が無目の内部に入り込みにくい防火戸を提供する。【解決手段】防火戸１は、第１引戸２０Ａおよび第２引戸を駆動する駆動部３０を収容する収容空間４１を有する無目４０と、加熱されることにより膨張して、収容空間４１と連通する配線用孔５１，５２、および、第１引戸２０Ａおよび第２引戸の召し合わせ部における収容空間４１と連通する側の開口部を閉塞する第１の配線孔用発泡材９１、第２の配線孔用発泡材９２、第１発泡材、ならびに、第２発泡材９６と、開口部と間隔を置いて対向して設けられる第１の規制部材１０１、第２の規制部材１０２、および、召し合わせ側規制部材１０４とを備える。【選択図】図２
2020073755.tif 000002
【特許請求の範囲】
【請求項１】
ドアと、
前記ドアを駆動する駆動部と、
前記駆動部を収容する収容空間を有し、前記ドアの上方に配置された無目と、
加熱されることにより膨張して、前記収容空間と連通する空気通路における前記収容空間と連通する側の開口部を閉塞する発泡材と、
前記開口部と間隔を置いて対向して設けられる規制部材と
を備える
防火戸。
【請求項２】
前記ドアは、引き分け式となる第１引戸および第２引戸を有し、
前記空気通路は、前記第１引戸と前記第２引戸との召し合わせ部に形成される隙間を含み、
前記開口部は、前記隙間において上方に向けて開口する部分であり、
前記規制部材は、前記空気通路よりも上方に配置され、かつ、前記開口部と間隔を置いて対向して設けられ、
前記発泡材は、前記召し合わせ部と前記規制部材との間に設けられる
請求項１に記載の防火戸。
【請求項３】
前記発泡材は、前記第１引戸側の前記召し合わせ部により下方から支持される第１発泡材と、前記第２引戸側の前記召し合わせ部により下方から支持される第２発泡材とを有する
請求項２に記載の防火戸。
【請求項４】
前記召し合わせ部は、前記第１引戸および前記第２引戸の一方に形成され、他方に向けて突出する凸部と、前記第１引戸および前記第２引戸の他方に形成され、前記凸部が入り込むことが可能な凹部とを有し、
前記第１発泡材および前記第２発泡材のそれぞれは、前記召し合わせ部の凹凸形状に沿った形状である
請求項３に記載の防火戸。
【請求項５】
前記規制部材は、熱膨張により前記第１引戸および前記第２引戸が上方に伸長した場合に前記発泡材が前記召し合わせ部と前記規制部材との間の空間を閉塞可能な位置に配置されている
請求項２〜４のいずれか一項に記載の防火戸。
【請求項６】
前記無目を支持する縦枠をさらに備え、
前記ドアは、片引きの引戸であり、
前記引戸の戸先は、前記縦枠に形成された凹部に入り込むことが可能であり、
前記空気通路は、前記引戸の駆動方向において前記引戸の戸先と前記縦枠の前記凹部との間に形成される隙間であり、
前記開口部は、前記空気通路の上方に向けて開口するように形成され、
前記規制部材は、前記開口部よりも上方に間隔を置いて配置され、
前記発泡材は、前記引戸が全閉状態において、前記引戸の戸先と前記規制部材との間に設けられる
請求項１に記載の防火戸。
【請求項７】
前記発泡材は、前記引戸の戸先により下方から支持されている
請求項６に記載の防火戸。
【請求項８】
前記規制部材は、熱膨張により前記引戸が上方に伸長した場合に前記発泡材が前記引戸と前記規制部材との間の空間を閉塞可能な位置に配置されている
請求項６または７に記載の防火戸。
【請求項９】
前記規制部材は、前記無目と前記引戸との間において、前記引戸の駆動方向における前記縦枠と隣り合う端部において、前記引戸よりも上方に間隔を置いて配置された端部規制部材をさらに含み、
前記端部規制部材は、前記引戸の駆動方向において前記縦枠と接触し、
前記発泡材は、前記端部規制部材と前記引戸の戸先との間に設けられた端部発泡材をさらに含む
請求項６〜８のいずれか一項に記載の防火戸。
【請求項１０】
前記端部発泡材は、前記引戸の戸先により下方から支持されている
請求項９に記載の防火戸。
【請求項１１】
前記端部規制部材は、熱膨張により前記引戸が上方に伸長した場合に前記端部発泡材が前記引戸と前記端部規制部材との間の空間を閉塞可能な位置に配置されている
請求項９または１０に記載の防火戸。
【請求項１２】
前記ドアと前記無目との間における前記空気通路には、煙返しが設けられ、
前記煙返しは、前記ドアに設けられ、水平に延びる上側水平片および前記上側水平片の縁から下方に延びる下方垂直片を含むドア側煙返し片と、前記無目における前記上側水平片よりも下側に設けられ、水平に延びる下側水平片および前記下側水平片の縁から上方に延び、前記下方垂直片と前後方向に対向する上方垂直片を含む無目側煙返し片とを有し、
前記開口部は、前記煙返しの前記収容空間側の開口部であり、
前記ドア側煙返し片と前記無目側煙返し片との間には、外側発泡材が設けられ、
前記発泡材は、前記空気通路において前記煙返しよりも前記収容空間側に設けられ、前記ドアと前記無目との間に設けられた内側発泡材を含み、
前記規制部材は、前記無目において前記内側発泡材よりも上方に設けられ、前記内側発泡材と対向する内側規制部材を含む
請求項１〜１１のいずれか一項に記載の防火戸。
【請求項１３】
前記外側発泡材は、前記無目側煙返し片の前記下側水平片により下方から支持され、
前記内側発泡材は、前記ドア側煙返し片の前記上側水平片により下方から支持される
請求項１２に記載の防火戸。
【請求項１４】
前記無目には、前記駆動部に接続される配線が通過する配線用孔が形成され、
前記空気通路は、前記配線用孔を含み、
前記開口部は、前記配線用孔の開口部であり、
前記規制部材は、前記配線用孔と間隔を置いて対向して設けられ、
前記発泡材は、前記配線用孔と前記規制部材との間に設けられる
請求項１に記載の防火戸。
【請求項１５】
前記規制部材は、前記無目の前記収容空間内に配置され、
前記発泡材は、前記規制部材において前記配線用孔側の面に取り付けられる
請求項１４に記載の防火戸。
【請求項１６】
前記発泡材は、前記配線用孔と対向し、かつ、前記配線用孔の開口面積以上の面積を有する
請求項１５に記載の防火戸。
【請求項１７】
前記無目は、前記収容空間を開閉する開閉カバーをさらに備え、
前記規制部材は、前記開閉カバーを支持している
請求項２〜４のいずれか一項に記載の防火戸。
【請求項１８】
前記無目は、前記縦枠にボルトにより連結され、
前記規制部材は、前記縦枠と前記無目とにより挟み込まれ、前記縦枠を支持する補強部材である
請求項６〜１１のいずれか一項に記載の防火戸。
【請求項１９】
前記内側規制部材は、前記端部規制部材を含む
請求項９を直接的または間接的に引用する請求項１２に記載の防火戸。
【発明の詳細な説明】
【技術分野】
【０００１】
本発明は、建物に設置される防火戸に関する。
【背景技術】
【０００２】
従来から、商業施設および病院等の建物に設置される防火戸が知られている。その一例である特許文献１に記載の防火戸は、間口に固定される固定壁、固定壁に対して移動するドア、ドアを駆動する駆動部、駆動部を収容している無目、および、無目と連結されることにより無目を支持する一対の縦枠を備える。
【先行技術文献】
【特許文献】
【０００３】
【特許文献１】特開平８−２８４５４４号公報
【発明の概要】
【発明が解決しようとする課題】
【０００４】
ところで、従来の防火戸では、ドアが引分け式の引戸の場合、２つの引戸の召し合わせ部に隙間が形成され、ドアが片引き式の引戸の場合、引戸と縦枠との間に隙間が形成される。これら隙間は、２つの引戸同士、あるいは引戸と縦枠との衝撃を緩和するために設けられる戸当たりゴムによる隙間であって、隙間の上方の開口部は、無目の内部に連通している。このため、建物内に設置している防火戸の周囲で火災が発生した場合、熱風がこれら隙間を介して無目の内部に入り込む場合がある。
【０００５】
一方、熱風は、２つの引戸の召し合わせ部の隙間や引戸と縦枠との隙間を介して火炎にさらされていない側に通過する場合がある。この場合、熱風は、火炎にさらされていない低温の空気に触れることにより急激に温度が低下するため、その温度が低下した熱風が無目の内部に入り込んでも無目の内部の温度が過度に上昇することが抑制される。また、２つの引戸の召し合わせ部や引戸と縦枠との隙間内において熱風が上昇する場合、熱風が火炎にさらされていない外気に触れることなく、隙間の上方の開口部を経て無目の内部に入り込む。このため、高温を維持した熱風が無目の内部に入り込んでしまう場合がある。
【０００６】
また、従来の防火戸として、駆動部によりドアが駆動される自動開閉式の防火戸は、ドアの周囲の動体および静止体の少なくとも一方を検出するセンサを備え、そのセンサの検出結果に基づき、駆動部がドアの開閉動作を制御する。センサの配線は、例えば、無目に形成された配線用孔を介して無目の内部に引き込まれる。このため、防火戸の周囲で火災が発生したとき、配線用孔を介して熱風が無目の内部に入り込むおそれがある。なお、センサの配線以外にも、駆動部に接続される信号線、通信線等の配線が配線用孔を介して無目の内部に引き込まれる場合、同様の問題が生じる。
【０００７】
このように、防火戸には、火炎にさらされている側の空間と無目の内部とを連通する空気通路が存在するため、防火戸の周囲で火災が発生したとき、熱風はその空気通路を介して無目の内部に入り込むおそれがある。なお、配線用孔に関する課題に関しては、引戸に限られず、開戸または折戸を有する防火戸についても同様の問題が生じると考えられる。
【０００８】
そこで、本発明は、温度が過度に高い熱風が無目の内部に入り込みにくい防火戸を提供することを目的とする。
【課題を解決するための手段】
【０００９】
〔１〕本発明の一形態に従う防火戸は、ドアと、前記ドアを駆動する駆動部と、前記駆動部を収容する収容空間を有し、前記ドアの上方に配置された無目と、加熱されることにより膨張して、前記収容空間と連通する空気通路における前記収容空間と連通する側の開口部を閉塞する発泡材と、前記開口部と間隔を置いて対向して設けられる規制部材とを備える。
【００１０】
この構成によれば、防火戸の周囲で火災が発生したとき、発泡材が加熱されて膨張するため、収容空間に連通する空気通路の開口部を閉塞する。このため、温度が過度に高い熱風が収容空間に入り込むことを抑制することができる。加えて、発泡材が膨張したときに規制部材が発泡材を受けることにより、開口部と対向する部分の発泡材の膨張を規制する。これにより、発泡材における開口部と対向する部分の密度が発泡材の他の部分の密度よりも高くなるため、発泡材から熱風が収容空間側に漏れ出して収容空間に入り込むことを抑制することができる。
【００１１】
〔２〕上記防火戸に従属する一形態によれば、前記ドアは、引き分け式となる第１引戸および第２引戸を有し、前記空気通路は、前記第１引戸と前記第２引戸との召し合わせ部に形成される隙間を含み、前記開口部は、前記隙間において上方に向けて開口する部分であり、前記規制部材は、前記空気通路よりも上方に配置され、かつ、前記開口部と間隔を置いて対向して設けられ、前記発泡材は、前記召し合わせ部と前記規制部材との間に設けられる。
【００１２】
この構成によれば、発泡材が加熱されて膨張したとき、空気通路の開口部となる第１引戸と第２引戸との間の隙間の上方の開口部が発泡材により閉塞される。このため、第１引戸と第２引戸との間の隙間に入り込んだ熱風が上昇して収容空間に入り込むことを抑制することができる。加えて、第１引戸と第２引戸との間の隙間の上方の開口部と収容空間とを連通する部分では、規制部材により発泡材の上方への膨張が規制された状態で発泡材により閉塞される。このため、第１引戸と第２引戸との間の隙間の上方の開口部と収容空間とを連通する部分における発泡材の密度が高まるため、発泡材から熱風が収容空間側に漏れ出して収容空間に入り込むことを抑制することができる。
【００１３】
〔３〕上記防火戸に従属する一形態によれば、前記発泡材は、前記第１引戸側の前記召し合わせ部により下方から支持される第１発泡材と、前記第２引戸側の前記召し合わせ部により下方から支持される第２発泡材とを有する。
【００１４】
この構成によれば、空気通路の開口部となる第１引戸および第２引戸の召し合わせ部の隙間の上方の開口部の両側に発泡材が位置するため、発泡材が膨張するとき、開口部を閉塞しやすくなる。このため、開口部を閉塞する発泡材の密度が高くなり、熱風が発泡材から収容空間側に漏れ出すことを一層抑制することができる。加えて、各発泡材が召し合わせ部により下方から支持されることにより各発泡材がその自重により召し合わせ部から剥がれることを抑制することができる。
【００１５】
〔４〕上記防火戸に従属する一形態によれば、前記召し合わせ部は、前記第１引戸および前記第２引戸の一方に形成され、他方に向けて突出する凸部と、前記第１引戸および前記第２引戸の他方に形成され、前記凸部が入り込むことが可能な凹部とを有し、前記第１発泡材および前記第２発泡材のそれぞれは、前記召し合わせ部の凹凸形状に沿った形状である。
【００１６】
この構成によれば、第１引戸および第２引戸の召し合わせ部の凹凸形状に沿って発泡材が取り付けられるため、発泡材が空気通路の開口部となる第１引戸および第２引戸の召し合わせ部の隙間の上方の開口部に近接して配置することができる。このため、召し合わせ部の複雑な開口部の形状に対しても発泡材が膨張して開口部を十分に閉塞することができる。
【００１７】
〔５〕上記防火戸に従属する一形態によれば、前記規制部材は、熱膨張により前記第１引戸および前記第２引戸が上方に伸長した場合に前記発泡材が前記召し合わせ部と前記規制部材との間の空間を閉塞可能な位置に配置されている。
【００１８】
発泡材の膨張を規制して発泡材の密度を高めるためには、規制部材が発泡材の近くに配置されることが好ましい。このため、規制部材は、召し合わせ部の上方において召し合わせ部の近くに配置することが考えられる。
一方、各引戸は、熱膨張により上方に伸長する。このため、規制部材が召し合わせ部の上方において召し合わせ部の近くに配置された場合、各引戸が熱膨張により上方に伸長するときに規制部材と干渉し、規制部材が撓んでしまうおそれがある。
このような事情のもと、本願発明者は、各引戸が熱膨張により上方に伸長した状態を基準として、その状態の召し合わせ部に対して規制部材を近くに配置できるような位置に規制部材を配置することを知見した。
そして、〔５〕の構成のように規制部材を配置することにより、加熱されて膨張した発泡材が規制部材により上方への膨張が規制されるため、開口部を閉塞する発泡材の密度を高めることができるとともに、規制部材と召し合わせ部とが干渉することにより規制部材が撓むことを抑制することができる。
【００１９】
〔６〕上記防火戸に従属する一形態によれば、前記無目を支持する縦枠をさらに備え、前記ドアは、片引きの引戸であり、前記引戸の戸先は、前記縦枠に形成された凹部に入り込むことが可能であり、前記空気通路は、前記引戸の駆動方向において前記引戸の戸先と前記縦枠の前記凹部との間に形成される隙間であり、前記開口部は、前記空気通路の上方に向けて開口するように形成され、前記規制部材は、前記開口部よりも上方に間隔を置いて配置され、前記発泡材は、前記引戸が全閉状態において、前記引戸の戸先と前記規制部材との間に設けられる。
【００２０】
この構成によれば、発泡材が加熱されて膨張したとき、空気通路の開口部となる引戸の戸先と縦枠の凹部との間の隙間の上方の開口部が発泡材により閉塞される。このため、引戸の戸先と縦枠の凹部の間の隙間に入り込んだ熱風が上昇して収容空間に入り込むことを抑制することができる。加えて、引戸の戸先と縦枠の凹部との間の隙間と、収容空間とを連通する部分では、規制部材により発泡材の密度が高まるため、発泡材から熱風が収容空間側に漏れ出して収容空間に入り込むことを抑制することができる。
【００２１】
〔７〕上記防火戸に従属する一形態によれば、前記発泡材は、前記引戸の戸先により下方から支持されている。
【００２２】
この構成によれば、発泡材が引戸の戸先により下方から支持されるため、発泡材の経年劣化に起因して発泡材の自重により、発泡材が取り付けられた部分から発泡材が剥がれることを抑制することができる。
【００２３】
〔８〕上記防火戸に従属する一形態によれば、前記規制部材は、熱膨張により前記引戸が上方に伸長した場合に前記発泡材が前記引戸と前記規制部材との間の空間を閉塞可能な位置に配置されている。
【００２４】
この構成によれば、引戸が熱膨張により上方に伸長した状態の引戸の上部に対して規制部材を近くに配置できるような位置に規制部材を配置するため、上記〔５〕の効果と同様に、開口部を閉塞する発泡材の密度を高めることができるとともに、規制部材と引戸とが干渉することにより規制部材が撓むことを抑制することができる。
【００２５】
〔９〕上記防火戸に従属する一形態によれば、前記規制部材は、前記無目と前記引戸との間において、前記引戸の駆動方向における前記縦枠と隣り合う端部において、前記引戸よりも上方に間隔を置いて配置された端部規制部材をさらに含み、前記端部規制部材は、前記引戸の駆動方向において前記縦枠と接触し、前記発泡材は、前記端部規制部材と前記引戸の戸先との間に設けられた端部発泡材をさらに含む。
【００２６】
例えば、規制部材が縦枠の凹部に収容された場合、規制部材は縦枠の凹部と引戸の戸先における凹部に入り込む部分との間の隙間を閉塞する発泡材の密度を高めることに寄与する一方、縦枠の凹部以外の部分と引戸の戸先との間の隙間を閉塞する発泡材の密度を高めることには寄与しない。また発泡材が縦枠の凹部以外の部分と引戸の戸先との間の隙間を閉塞できない場合がある。
そこで、〔９〕の構成によれば、端部発泡材が加熱されて膨張したとき、縦枠の凹部以外の部分と引戸の戸先との間の隙間を端部発泡材により閉塞される。このため、縦枠の凹部以外の部分と引戸の戸先との間の隙間に入り込んだ熱風が上昇して収容空間に入り込むことを抑制することができる。加えて、縦枠の凹部以外の部分と引戸の戸先との間の隙間と、収容空間とを連通する部分では、端部規制部材が端部発泡材の上方への膨張を規制することにより端部発泡材の密度が高まる。このため、端部発泡材から熱風が収容空間側に漏れ出して収容空間に入り込むことを抑制することができる。
【００２７】
〔１０〕上記防火戸に従属する一形態によれば、前記端部発泡材は、前記引戸の戸先により下方から支持されている。
【００２８】
この構成によれば、発泡材が引戸の戸先により下方から支持されるため、発泡材がその自重により引戸の戸先から剥がれることが抑制される。
【００２９】
〔１１〕上記防火戸に従属する一形態によれば、前記端部規制部材は、熱膨張により前記引戸が上方に伸長した場合に前記端部発泡材が前記引戸と前記端部規制部材との間の空間を閉塞可能な位置に配置されている。
【００３０】
この構成によれば、引戸が熱膨張により上方に伸長した状態の引戸の上部に対して端部規制部材を近くに配置できるような位置に端部規制部材を配置するため、上記〔５〕の効果と同様に、開口部を閉塞する端部発泡材の密度を高めることができるとともに、端部規制部材と引戸とが干渉することにより端部規制部材が撓むことを抑制することができる。
【００３１】
〔１２〕上記防火戸に従属する一形態によれば、前記ドアと前記無目との間における前記空気通路には、煙返しが設けられ、前記煙返しは、前記ドアに設けられ、水平に延びる上側水平片および前記上側水平片の縁から下方に延びる下方垂直片を含むドア側煙返し片と、前記無目における前記上側水平片よりも下側に設けられ、水平に延びる下側水平片および前記下側水平片の縁から上方に延び、前記下方垂直片と前後方向に対向する上方垂直片を含む無目側煙返し片とを有し、前記開口部は、前記煙返しの前記収容空間側の開口部であり、前記ドア側煙返し片と前記無目側煙返し片との間には、外側発泡材が設けられ、前記発泡材は、前記空気通路において前記煙返しよりも前記収容空間側に設けられ、前記ドアと前記無目との間に設けられた内側発泡材を含み、前記規制部材は、前記無目において前記内側発泡材よりも上方に設けられ、前記内側発泡材と対向する内側規制部材を含む。
【００３２】
この構成によれば、例えば火災初期において、外側発泡材が加熱されて膨張することにより空気通路における無目から離れた部分の隙間を閉塞し、その後、ドアが熱膨張により上方に伸長したときに内側発泡材が加熱されて膨張することにより空気通路における無目に近い部分の隙間を閉塞する。このように、収容空間に連通する空気通路における２箇所において発泡材により空気通路が閉塞可能となるため、空気通路に入り込んだ熱風が収容空間に入り込むことを一層抑制することができる。
【００３３】
〔１３〕上記防火戸に従属する一形態によれば、前記外側発泡材は、前記無目側煙返し片の前記下側水平片により下方から支持され、前記内側発泡材は、前記ドア側煙返し片の前記上側水平片により下方から支持される。
【００３４】
この構成によれば、外側発泡材が下側水平片により下方から支持され、内側発泡材が上側水平片により下方から支持されるため、各発泡材がその自重により煙返しから剥がれることを抑制することができる。
【００３５】
〔１４〕上記防火戸に従属する一形態によれば、前記無目には、前記駆動部に接続される配線が通過する配線用孔が形成され、前記空気通路は、前記配線用孔を含み、前記開口部は、前記配線用孔の開口部であり、前記規制部材は、前記配線用孔と間隔を置いて対向して設けられ、前記発泡材は、前記配線用孔と前記規制部材との間に設けられる。
【００３６】
この構成によれば、発泡材が加熱されたとき、規制部材により配線用孔側とは反対側に発泡材が膨張することが規制されるため、発泡材は、配線用孔に向けて膨張しやすくなる。このため、発泡材により配線用孔を閉塞しやすくなる。
【００３７】
〔１５〕上記防火戸に従属する一形態によれば、前記規制部材は、前記無目の前記収容空間内に配置され、前記発泡材は、前記規制部材において前記配線用孔側の面に取り付けられる。
【００３８】
この構成によれば、発泡材により配線用孔からの熱風が規制部材側に入り込むことが抑制されるため、熱風が規制部材に直接的に当たることが抑制される。
【００３９】
〔１６〕上記防火戸に従属する一形態によれば、前記発泡材は、前記配線用孔と対向し、かつ、前記配線用孔の開口面積以上の面積を有する。
【００４０】
例えば、発泡材が配線用孔を取り囲む環状に形成された場合、発泡材が加熱されたとき、発泡材が環状の中心まで膨張しない、または、発泡材が環状の中心まで膨張したとしても配線用孔と対向する環状の中心の発泡材の密度が低くなるおそれがある。また、配線用孔と対向する発泡材の面積が配線用孔の開口面積よりも小さいと、発泡材が配線用孔を十分に閉塞できないおそれがある。
その点、〔１６〕の構成によれば、発泡材が加熱されて膨張したとき、発泡材が配線用孔と対向するため、配線用孔に向けて膨張する。加えて、発泡材の面積が配線用孔よりも大きいため、配線用孔を十分に閉塞することができる。
【００４１】
〔１７〕上記防火戸に従属する一形態によれば、前記無目は、前記収容空間を開閉する開閉カバーをさらに備え、前記規制部材は、前記開閉カバーを支持している。
【００４２】
この構成によれば、開閉カバーを支持する支持部材を規制部材とは個別に形成した構成と比較して、防火戸の部品点数を減らすことができる。
【００４３】
〔１８〕上記防火戸に従属する一形態によれば、前記無目は、前記縦枠にボルトにより連結され、前記規制部材は、前記縦枠と前記無目とにより挟み込まれ、前記縦枠を支持する補強部材である。
【００４４】
この構成によれば、補強部材を規制部材とは個別に形成する構成と比較して、防火戸の部品点数が減り、かつ、規制部材および補強部材の取り付け作業を減らすことができる。
【００４５】
〔１９〕上記防火戸に従属する一形態によれば、前記内側規制部材は、前記端部規制部材を含む。
【００４６】
この構成によれば、内側規制部材と端部規制部材とを個別に形成する場合と比較して、防火戸の部品点数を減らすことができる。
【発明の効果】
【００４７】
本発明にかかる防火戸によれば、温度が過度に高い熱風が無目の内部に入り込みにくくなる。
【図面の簡単な説明】
【００４８】
【図１】第１の実施形態の防火戸の外観を示す正面図。
【図２】図１のＤ２−Ｄ２線に沿う断面図。
【図３】（ａ）無目の一部の背面図、（ｂ）無目の一部の平面図。
【図４】図１の引戸の斜視図。
【図５】（ａ）火炎にさらされる前の無目の一部の断面図、（ｂ）火炎にさらされた後の無目の一部の断面図。
【図６】（ａ）火炎にさらされる前の無目の一部の断面図、（ｂ）火炎にさらされた後の無目の一部の断面図。
【図７】（ａ）火炎にさらされる前の無目の一部の断面図、（ｂ）火炎にさらされた後の無目の一部の断面図。
【図８】（ａ）火炎にさらされる前の無目の一部の断面図、（ｂ）火炎にさらされた後の無目の一部の断面図。
【図９】第２の実施形態の防火戸の外観を示す正面図。
【図１０】図９のＤ１０−Ｄ１０線に沿う断面図。
【図１１】図９の引戸および縦枠の斜視断面図。
【図１２】図９の引戸および縦枠の断面図。
【図１３】（ａ）火炎にさらされる前の引戸および無目の一部の模式正面図、（ｂ）火炎にさらされた後の引戸および無目の一部の模式正面図。
【図１４】変形例の防火戸について、（ａ）無目の一部の断面図、（ｂ）無目の一部の背面図。
【発明を実施するための形態】
【００４９】
（第１の実施形態）
以下、図１〜図８を参照して、第１の実施形態の防火戸について説明する。なお、図２〜図８において、便宜上、発泡材を網掛けにより示している。第１の実施形態の防火戸１は、図１に示されるように、引分け式の防火戸である。
【００５０】
図１に示されるように、防火戸１は、建物に形成された長方形状の間口２００の長手方向において間隔をあけて配置された一対の縦枠２、および、一対の縦枠２の上方に配置され、一対の縦枠２により支持されている無目４０を備える。縦枠２は、中空形状であり、防火戸１の高さ方向ＺＡに延びている。無目４０の内部には、収容空間４１が形成されている。
【００５１】
一対の縦枠２の間には、２つの固定壁１０と、２つの固定壁１０が並べられている方向に沿って移動する第１引戸２０Ａおよび第２引戸２０Ｂが設けられている。２つの固定壁１０は、互いに離間して配置されることにより、２つの固定壁１０の間に出入口を形成している。各引戸２０Ａ，２０Ｂは、防火戸１の前後方向ＺＣ（図２参照）において、固定壁１０よりも背面側に配置されている。各引戸２０Ａ，２０Ｂは、出入口を開閉可能なように配置されている。なお、第１引戸２０Ａおよび第２引戸２０Ｂのような引戸は、ドアの一例であり、防火戸１は、引戸に代えて、開戸または折戸を備えていてもよい。
【００５２】
固定壁１０は、高さ方向ＺＡに延びる中空形状の中方立１１、および、中方立１１と縦枠２との間に配置され、各引戸２０Ａ，２０Ｂの開閉方向（以下、「駆動方向ＺＢ」）に延びる巾木１２、ならびに、縦枠２、中方立１１、および、巾木１２に支持されている耐熱ガラス１３を備える。
【００５３】
第１引戸２０Ａは、耐熱ガラス２１、耐熱ガラス２１の一方の側部を支持している戸先側縦框２２、耐熱ガラス２１の他方の側部を支持している戸尻側縦框２３、耐熱ガラス２１の上部を支持している上框２４、および、耐熱ガラス２１の下部を支持している下框２５を備える。第１引戸２０Ａは、戸車を有する第１ドアハンガ１１０を介して無目４０の収容空間４１に配置された走行レール（図示略）に吊り下げられ、第１ドアハンガ１１０により駆動方向ＺＢにスライド自在に支持されている。なお、第２引戸２０Ｂも同様の構成である。また、第２引戸２０Ｂが吊り下げられるドアハンガを第２ドアハンガ１２０と称する。
【００５４】
無目４０の収容空間４１には、第１引戸２０Ａおよび第２引戸２０Ｂを駆動する駆動部３０が配置されている。駆動部３０が第１引戸２０Ａおよび第２引戸２０Ｂを駆動方向ＺＢに移動させて第１引戸２０Ａおよび第２引戸２０Ｂが接近および離間することにより、２つの固定壁１０の間の出入口を開閉する。
【００５５】
駆動部３０は、電気モータ３１、電気モータ３１の出力軸と減速機（図示略）を介して連結されている駆動スプロケット３２、および、駆動方向ＺＢにおいて駆動スプロケット３２と間隔を置いて配置されている従動スプロケット３３を備える。駆動部３０は、さらに、駆動スプロケット３２と従動スプロケット３３とに巻き掛けられているチェーン３４、および、電気モータ３１を制御する制御部３５を備える。
【００５６】
チェーン３４は、互いに移動方向が異なる第１の部分３４Ａおよび第２の部分３４Ｂを備える。第１の部分３４Ａと第１引戸２０Ａの上框２４とは、第１ドアハンガ１１０を介して接続されている。第２の部分３４Ｂと第２引戸２０Ｂの上框２４とは、第２ドアハンガ１２０を介して接続されている。電気モータ３１の駆動力がチェーン３４を介して第１ドアハンガ１１０および第２ドアハンガ１２０に伝達されることにより、第１引戸２０Ａおよび第２引戸２０Ｂが開閉する。なお、無目４０内には、駆動部３０の他に、防火戸１が設置されている建物内で火災が発生したことが検出されたときに、引戸２０を閉じ方向に移動させるための自動閉鎖装置（図示略）が配置されている。
【００５７】
防火戸１は、さらに、第１引戸２０Ａおよび第２引戸２０Ｂの周囲の動体および静止体を検出する複数のセンサを備える。複数のセンサは、無目４０の正面側および背面側のそれぞれに取り付けられている無目取付型センサ６１、３つの正面側光電センサ６２、および、３つの背面側光電センサ６３を含む。なお、以下の説明において、防火戸１により区画される空間のうち、固定壁１０および各引戸２０Ａ，２０Ｂの正面と面する空間を室外空間と称し、固定壁１０および各引戸２０Ａ，２０Ｂの背面と面する空間を室内空間と称する。
【００５８】
無目取付型センサ６１は、例えば、近赤外線反射式のセンサであり、無目４０の駆動方向ＺＢの中央に取り付けられている。
３つの正面側光電センサ６２は、室外空間に存在する動体および静止体を検出するセンサである。各正面側光電センサ６２は、光を出力する投光器６２Ａ、および、投光器６２Ａが出力した光を受信する受光器６２Ｂを含む。３つの投光器６２Ａは、第１引戸２０Ａ側の固定壁１０の中方立１１に取り付けられ、高さ方向ＺＡに沿って並べて配置されている。３つの受光器６２Ｂは、第２引戸２０Ｂ側の固定壁１０の中方立１１に取り付けられ、高さ方向ＺＡに沿って並べて配置されている。各投光器６２Ａおよび各受光器６２Ｂは、駆動方向ＺＢにおいて対向している。
【００５９】
３つの背面側光電センサ６３は、室内空間に存在する動体および静止体を検出するセンサである。各背面側光電センサ６３は、光を出力する投光器６３Ａ、および、投光器６３Ａが出力した光を受信する受光器６３Ｂを含む。３つの投光器６３Ａは、第１引戸２０Ａ側の縦枠２に取り付けられ、高さ方向ＺＡに沿って並べて配置されている。３つの受光器６３Ｂは、第２引戸２０Ｂ側の縦枠２に取り付けられ、高さ方向ＺＡに沿って並べて配置されている。各投光器６３Ａおよび各受光器６３Ｂは、駆動方向ＺＢにおいて対向している。
【００６０】
図２を参照して、無目４０の内部構造について説明する。なお、図２においては、図面の簡略化のため、駆動部３０が配置される領域を二点鎖線で示している。
図２に示されるように、無目４０は、背面側が開口するような箱状に形成されている。詳細には、無目４０は、無目４０の正面を構成する正面壁４２、無目４０の下面を構成する底壁４３、無目４０の上面を構成する上壁４４、および、無目４０の長手方向の端面を構成する側壁４５を有する。底壁４３は、固定壁１０の背面側端部まで延びている。底壁４３の背面側端部には、下方に延びる下側固定壁４３Ａが形成されている。上壁４４は、第１引戸２０Ａよりも背面側まで延びている。上壁４４の背面側端部には、下方に延びる上側固定壁４４Ａが形成されている。
【００６１】
無目４０は、一対の側壁４５が縦枠２とボルト３００により連結され、躯体のアンカー（図示略）により吊り下げられている。無目４０には、正面壁４２を正面側から覆う化粧カバー４６が取り付けられている。無目４０の上側固定壁４４Ａには、ヒンジ４７を介して点検カバー４８が無目４０の開口部を開閉可能に取り付けられている。無目４０の収容空間４１における正面側かつ下方側は、Ｌ字状の芯材４９が配置されている。芯材４９は、例えば、鉄により形成され、正面壁４２および底壁４３に溶接されている。なお、点検カバー４８は、収容空間４１を開閉する開閉カバーに相当する。
【００６２】
図２に示されるように、無目４０の正面側には、正面側の無目取付型センサ６１の配線６１Ａを挿入するための配線用孔５１が形成されている。配線用孔５１は、化粧カバー４６および無目４０の正面壁４２を前後方向ＺＣに貫通する貫通孔であり、収容空間４１と連通している。すなわち、配線用孔５１は、収容空間４１と連通する空気通路の一部となる。そして配線用孔５２における収容空間４１側の開口部は、上記空気通路における収容空間４１と連通する側の開口部となる。正面側の無目取付型センサ６１の配線６１Ａは、配線用孔５１を介して収容空間４１に引き込まれ、駆動部３０の制御部３５と電気的に接続されている。
【００６３】
図１および図２に示されるように、無目４０における下方の部分には、正面側光電センサ６２の３つの投光器６２Ａの配線６２Ｃを挿入するための配線用孔５２が形成されている。配線用孔５２は、高さ方向ＺＡにおいて無目４０の底壁４３および芯材４９を貫通する貫通孔であり、収容空間４１と連通している。すなわち、配線用孔５２は、収容空間４１と連通する空気通路の一部となる。そして配線用孔５２における収容空間４１側の開口部は、上記空気通路における収容空間４１と連通する側の開口部となる。また無目４０における第２引戸２０Ｂ側の下方の部分には、正面側光電センサ６２の３つの受光器６２Ｂの配線６２Ｄを挿入するための配線用孔（図示略）が形成されている。この配線用孔は、高さ方向ＺＡにおいて無目４０の底壁４３および芯材４９を貫通する貫通孔であり、収容空間４１と連通している。すなわち、配線６２Ｄが挿入される配線用孔は、収容空間４１と連通する空気通路の一部となる。そして配線用孔における収容空間４１側の開口部は、上記空気通路における収容空間４１と連通する側の開口部となる。
【００６４】
３つの投光器６２Ａの配線６２Ｃは、第１引戸２０Ａ側の固定壁１０の中方立１１内を通り、配線用孔５２を介して収容空間４１に引き込まれ、制御部３５と電気的に接続されている。３つの受光器６２Ｂの配線６２Ｄは、第２引戸２０Ｂ側の固定壁１０の中方立１１内を通り、配線用孔を介して収容空間４１に引き込まれ、制御部３５と電気的に接続されている。
【００６５】
無目４０における第１引戸２０Ａ側の側壁４５には、背面側光電センサ６３の３つの投光器６３Ａの配線６３Ｃを挿入するための配線用孔５３が形成されている。配線用孔５３は、駆動方向ＺＢにおいて無目４０の側壁４５を貫通している。また無目４０における第２引戸２０Ｂ側の側壁４５には、背面側光電センサ６３の３つの受光器６３Ｂの配線６３Ｄを挿入するための配線用孔（図示略）が形成されている。
【００６６】
３つの投光器６３Ａの配線６３Ｃは、第１引戸２０Ａ側の縦枠２内を通り、配線用孔５３を介して収容空間４１に引き込まれ、制御部３５と電気的に接続されている。３つの受光器６３Ｂの配線６３Ｄは、第２引戸２０Ｂ側の縦枠２内を通り、配線用孔を介して収容空間４１に引き込まれ、制御部３５と電気的に接続されている。
【００６７】
図２に示されるように、第１引戸２０Ａと無目４０との間における空気通路には、煙返し７０が設けられている。煙返し７０は、第２引戸２０Ｂと無目４０との間における空気通路にも設けられている。煙返し７０は、無目４０の下方、かつ、前後方向ＺＣにおける固定壁１０の上端部と第１引戸２０Ａの上端部との間に位置している。煙返し７０は、無目４０に設けられる無目側煙返し片７１と、第１引戸２０Ａに設けられる引戸側煙返し片７２とを備える。無目側煙返し片７１は、前後方向ＺＣにおいて水平に延びる下側水平片７１Ａと、下側水平片７１Ａの縁から上方に向けて延びる上方垂直片７１Ｂとを有する。引戸側煙返し片７２は、第１引戸２０Ａの上面に取り付けられている。引戸側煙返し片７２は、前後方向ＺＣにおいて水平に延びる上側水平片７２Ａと、上側水平片７２Ａの縁から下方に向けて延びる下方垂直片７２Ｂとを有する。各垂直片７１Ｂ，７２Ｂは、固定壁１０と第１引戸２０Ａとの前後方向ＺＣの間に互いに平行するように配置されている。上方垂直片７１Ｂは、下方垂直片７２Ｂよりも背面側に間隔を置いて配置されている。下方垂直片７２Ｂは、前後方向ＺＣにおいて、無目４０の底壁４３の下側固定壁４３Ａよりも背面側に間隔を置いて配置されている。なお、煙返し７０は、前後方向ＺＣにおいて固定壁１０と第２引戸２０Ｂとの間にも同様に設けられている。
【００６８】
図４に示されるように、第１引戸２０Ａの戸先および第２引戸２０Ｂの戸先により召し合わせ部８０が構成されている。召し合わせ部８０は、第１引戸２０Ａの戸先に形成される凸部２６と、第２引戸２０Ｂの戸先に形成され、凸部２６が入り込むことが可能な凹部２７とを備える。なお、召し合わせ部８０は、第１引戸２０Ａの戸先に凹部２７が形成され、第２引戸２０Ｂの戸先に凸部２６が形成される構成であってもよい。
【００６９】
召し合わせ部８０においては、防火戸１が全閉状態となるとき、駆動方向ＺＢにおいて、第１引戸２０Ａの戸先と第２引戸２０Ｂの戸先とが接触しない。すなわち、防火戸１が全閉状態のとき、衝撃緩和用の戸当たりゴム（図示略）によって駆動方向ＺＢにおいて、第１引戸２０Ａの戸先と第２引戸２０Ｂの戸先との間に隙間（以下、「召し合わせ部８０の隙間」）が形成されている。召し合わせ部８０の隙間は、高さ方向ＺＡにおいて各引戸２０Ａ，２０Ｂの全体にわたり形成されている。召し合わせ部８０の隙間は、収容空間４１と連通する空気通路の一部となる。召し合わせ部８０の隙間において上方に向けて開口する部分は、上記空気通路における収容空間４１と連通する開口部となる。
【００７０】
ところで、図２に示されるように、無目４０には、無目取付型センサ６１の配線用孔５１、正面側光電センサ６２の配線用孔（配線用孔５２）、煙返し７０、および、召し合わせ部８０に形成された隙間のような収容空間４１と連通する空気通路が形成されている。そしてこれら空気通路を介して、室外空間の空気が室内空間の空気に触れることなく、無目４０の内部（収容空間４１）に連通する。そして、室外空間において火災が発生したとき、火炎により加熱された室外空間の空気は熱風として、上述の空気通路を介して収容空間４１に入り込むおそれがある。熱風が室内空間の空気に触れることなく、収容空間４１内に入り込むと、熱風により収容空間４１の温度が急激に高くなる。
【００７１】
一方、無目４０には、背面側光電センサ６３の配線用孔（配線用孔５３）は、室内空間と無目４０の内部とを連通する空気通路が形成されている。そしてこの空気通路を介して、室外空間の空気が室内空間の空気に触れた後、無目４０の内部（収容空間４１）に連通する。この場合、熱風が室内空間の空気と触れるため、熱風の温度が急激に低下するため、熱風により収容空間４１の温度が過度に高くなることが抑制される。
【００７２】
以上のとおり、室外空間の熱風が室内空間の空気と触れずに、空気通路を介して直接的に収容空間４１に入り込む場合における収容空間４１内の温度上昇の度合は、室外空間の熱風が空気通路を経て室内空間の空気と触れた後、収容空間４１に入り込む場合の収容空間４１内の温度上昇の度合よりも大きい。
【００７３】
そこで、防火戸１では、収容空間４１の温度上昇を抑制するため、熱風が室内空間の空気に触れることなく、収容空間４１に入り込むことが可能な空気通路を閉塞可能な通路閉塞構造が設けられている。以下、通路閉塞構造の詳細について説明する。
【００７４】
図２に示されるように、通路閉塞構造ＲＣ１は、加熱されることにより膨張する発泡材により、正面側の無目取付型センサ６１の配線用孔５１や正面側光電センサ６２の配線用孔５２を閉塞する構造を備える。
【００７５】
通路閉塞構造ＲＣ１は、収容空間４１内に配置された第１の規制部材１０１を備える。第１の規制部材１０１は、配線用孔５１の収容空間４１側の開口部と前後方向ＺＣに間隔を置いて対向する位置に配置されている。第１の規制部材１０１は、金具であり、ボルト３１０により芯材４９に固定されている。第１の規制部材１０１は、高さ方向ＺＡに延びる平板であり、無目４０の正面壁４２と平行している。第１の規制部材１０１における配線用孔５１側の面には、発泡材の一例である第１の配線孔用発泡材９１が取り付けられている。このため、第１の規制部材１０１は、第１の配線孔用発泡材９１の背面側への膨張を規制する。
【００７６】
第１の配線孔用発泡材９１は、グラファイト系発泡材が用いられている。第１の配線孔用発泡材９１は、配線用孔５１と前後方向ＺＣにおいて対向し、配線用孔５１よりも背面側において間隔を置いて配置されている。図３（ａ）に示されるように、第１の配線孔用発泡材９１は、配線用孔５１の開口面積よりも広い面積を有する平板に形成されている。これにより、第１の配線孔用発泡材９１が配線用孔５１と第１の規制部材１０１との間に設けられているため、第１の規制部材１０１が配線用孔５１と直接的に面しなくなる。
【００７７】
また通路閉塞構造ＲＣ１は、図２に示されるように、収容空間４１内に配置された第２の規制部材１０２を備える。第２の規制部材１０２は、配線用孔５２と高さ方向ＺＡに間隔を置いて対向する位置に配置されている。このため、第２の規制部材１０２は、収容空間４１内に配置されている。第２の規制部材１０２は、駆動方向ＺＢおよび前後方向ＺＣに延びる平板であり、無目４０の底壁４３と平行している。図２および図３（ｂ）に示されるように、第２の規制部材１０２は、前後方向ＺＣが長手方向となる第１平板１０２Ａと、第１平板１０２Ａの縁から上方に延びる第２平板１０２Ｂとが一体的に形成された金具である。第２の規制部材１０２は、第２平板１０２Ｂにおいてボルト３２０により芯材４９に固定されている。第１平板１０２Ａにおいて配線用孔５２側の面には、発泡材の一例である第２の配線孔用発泡材９２が取り付けられている。このため、第２の配線孔用発泡材９２は、第２の配線孔用発泡材９２の上方への膨張を規制する。
【００７８】
第２の配線孔用発泡材９２は、グラファイト系発泡材が用いられている。第２の配線孔用発泡材９２は、配線用孔５２と高さ方向ＺＡにおいて対向し、配線用孔５２よりも上方において間隔を置いて配置されている。図３（ｂ）に示されるように、第２の配線孔用発泡材９２は、配線用孔５２の開口面積よりも広い面積を有する平板に形成されている。これにより、第２の配線孔用発泡材９２が配線用孔５２と第２の規制部材１０２との間に設けられているため、第２の規制部材１０２が配線用孔５２と直接的に面しなくなる。なお、図３（ａ）および図３（ｂ）に示すとおり、第１の配線孔用発泡材９１の正面視の形状および第２の配線孔用発泡材９２の正面視の形状が四角形であるが、円形、または、四角形以外の多角形であってもよい。
【００７９】
また図２に示されるように、通路閉塞構造ＲＣ２は、加熱されることにより膨張する発泡材により、煙返し７０の空気通路における収容空間４１側の開口部７３を閉塞する構造を備える。
【００８０】
詳細には、引戸側煙返し片７２の上側水平片７２Ａのうちの各引戸２０Ａ，２０Ｂよりも正面側の部分の上面には、内側発泡材９３が取り付けられている。すなわち内側発泡材９３は、上側水平片７２Ａにより下方から支持されている。内側発泡材９３は、前後方向ＺＣにおいて固定壁１０と各引戸２０Ａ，２０Ｂ（図１参照）との間に設けられている。内側発泡材９３は、上側水平片７２Ａの駆動方向ＺＢの全体にわたり延びている。このように内側発泡材９３は、煙返し７０よりも収容空間４１側に設けられている。
【００８１】
無目４０内における内側発泡材９３よりも上方において、内側発泡材９３と高さ方向ＺＡに対向する部分には、内側規制部材１０３が設けられている。内側規制部材１０３は、金具である。内側規制部材１０３は、断面形状がＬ字状に形成され、上側水平片７２Ａの駆動方向ＺＢの全体にわたり延びている。内側規制部材１０３は、駆動方向ＺＢおよび前後方向ＺＣに延びる第１平板１０３Ａおよび第１平板１０３Ａの縁から下方に延びる第２平板１０３Ｂが一体的に形成された構造である。内側規制部材１０３は、無目４０における底壁４３の下側固定壁４３Ａの背面と第２平板１０３Ｂが例えばスポット溶接されることにより無目４０に固定されている。第１平板１０３Ａは、前後方向ＺＣにおいて下側固定壁４３Ａから第１ドアハンガ１１０（第２ドアハンガ１２０（図１参照））まで延びている。第１平板１０３Ａの高さ方向ＺＡの位置は、各引戸２０Ａ，２０Ｂが熱膨張により上方に伸長したときに引戸側煙返し片７２の上側水平片７２Ａよりも上方であり、かつ、内側発泡材９３が第１平板１０３Ａと上側水平片７２Ａとの間の隙間を閉塞可能な位置に設定されている。
【００８２】
無目側煙返し片７１の下側水平片７１Ａの上面には、外側発泡材９４が取り付けられている。すなわち外側発泡材９４は、下側水平片７１Ａにより下方から支持されている。外側発泡材９４は、前後方向ＺＣにおいて固定壁１０と各引戸２０Ａ，２０Ｂ（図１参照）との間に設けられ、下側水平片７１Ａの駆動方向ＺＢの全体にわたり延びている。外側発泡材９４は、高さ方向ＺＡにおいて、引戸側煙返し片７２の下方垂直片７２Ｂと対向している。なお、外側発泡材９４および内側発泡材９３のそれぞれは、グラファイト系発泡材が用いられる。
【００８３】
また図４に示されるように、通路閉塞構造ＲＣ３は、加熱されることにより膨張する発泡材により、召し合わせ部８０の隙間における上方の開口部を閉塞する構造を備える。
通路閉塞構造ＲＣ３は、第１引戸２０Ａ側の召し合わせ部である第１引戸２０Ａ側の戸先により下方から支持される第１発泡材９５、および、第２引戸２０Ｂ側の召し合わせ部である第２引戸２０Ｂ側の戸先により下方から支持される第２発泡材９６を備える。第１発泡材９５は、第１引戸２０Ａの上面に取り付けられた引戸側煙返し片７２の上側水平片７２Ａにおける第１引戸２０Ａの戸先に対応する部分の上面に取り付けられている。第２発泡材９６は、第２引戸２０Ｂの上面に取り付けられた引戸側煙返し片７２の上側水平片７２Ａにおける第２引戸２０Ｂの戸先に対応する部分の上面に取り付けられている。なお、第１発泡材９５および第２発泡材９６のそれぞれはグラファイト系発泡材が用いられる。
【００８４】
図４に示すとおり、第１発泡材９５および第２発泡材９６は、召し合わせ部８０の凹凸形状に沿った形状である。具体的には、第１発泡材９５は、長さの異なる２つの直線状の発泡材により構成されている。長さの短い発泡材は、第１引戸２０Ａの凸部２６に取り付けられる。第２発泡材９６は、長さの異なる４つの直線状の発泡材により構成されている。これら４つの発泡材が第２引戸２０Ｂの凹部２７に沿うように取り付けられている。また第１発泡材９５および第２発泡材９６の正面側の端部は、前後方向ＺＣにおいて内側発泡材９３よりも背面側かつ内側発泡材９３と隣り合う。
【００８５】
第１発泡材９５および第２発泡材９６よりも上方には、規制部材の一例である召し合わせ側規制部材１０４が設けられている。召し合わせ側規制部材１０４は、高さ方向ＺＡにおいて、召し合わせ部８０の隙間の上方の開口部、および、各発泡材９５，９６と間隔を置いて対向している。これにより、各発泡材９５，９６は、召し合わせ部８０と召し合わせ側規制部材１０４との間に設けられている。召し合わせ側規制部材１０４は、駆動方向ＺＢおよび前後方向ＺＣに沿って延びる平板部１０４Ａと、平板部１０４Ａにおける点検カバー４８（図２参照）側の端部において断面略Ｕ字となる支持部１０４Ｂとが一体的に形成された金具である。平板部１０４Ａは、平面視において、前後方向ＺＣが長手となる長方形に形成されている。平板部１０４Ａは、駆動方向ＺＢおよび前後方向ＺＣにおいて召し合わせ部８０を覆っている。図２に示されるように、召し合わせ側規制部材１０４は、内側規制部材１０３の第１平板１０３Ａの上面に配置され、例えばスポット溶接により内側規制部材１０３に固定されている。召し合わせ側規制部材１０４の平板部１０４Ａの高さ方向ＺＡの位置は、各引戸２０Ａ，２０Ｂが熱膨張により上方に伸長したときに引戸側煙返し片７２の上側水平片７２Ａよりも上方であり、かつ、各発泡材９５，９６が平板部１０４Ａと上側水平片７２Ａとの間の隙間を閉塞可能な位置に設定されている。支持部１０４Ｂは、点検カバー４８における収容空間４１側の面と接触している。すなわち支持部１０４Ｂは、点検カバー４８を正面側から支持している。
【００８６】
次に図２および図４〜図８を参照して、防火戸１の作用および効果について説明する。
図２に示されるように、建物内に設置されている防火戸１の室外空間で火災が発生したとき、火炎および熱風により防火戸１が加熱される。この場合、各通路閉塞構造ＲＣ１〜ＲＣ３は次のように通路を閉塞する。
【００８７】
すなわち図５（ａ）に示されるように、通路閉塞構造ＲＣ１において、無目４０が加熱されることにより第１の配線孔用発泡材９１が加熱されたとき、図５（ｂ）に示されるように、第１の配線孔用発泡材９１が膨張し、第１の規制部材１０１と無目４０の正面壁４２との間の隙間および配線用孔５１を閉塞する。このため、配線用孔５１を介して熱風が収容空間４１に入り込むことが抑制される。また第１の規制部材１０１により第１の配線孔用発泡材９１の背面側への膨張が規制されるため、第１の配線孔用発泡材９１は正面壁４２に向けて膨張する。このため、第１の規制部材１０１と正面壁４２との間の隙間および配線用孔５１を閉塞する第１の配線孔用発泡材９１の密度が高くなる。これにより、配線用孔５１からの熱風が第１の配線孔用発泡材９１から収容空間４１側に漏れ出て収容空間４１に入り込むことが抑制される。
【００８８】
また図６（ａ）に示されるように、通路閉塞構造ＲＣ１において、無目４０が加熱されることにより第２の配線孔用発泡材９２が加熱されたとき、図６（ｂ）に示されるように、第２の配線孔用発泡材９２が膨張し、第２の規制部材１０２と芯材４９との間の隙間および配線用孔５２を閉塞する。このため、配線用孔５２を介して熱風が収容空間４１に入り込むことが抑制される。また第２の規制部材１０２により第２の配線孔用発泡材９２の上側への膨張が規制されるため、第２の配線孔用発泡材９２は芯材４９に向けて膨張する。このため、第２の規制部材１０２と芯材４９との間の隙間および配線用孔５２を閉塞する第２の配線孔用発泡材９２の密度が高くなる。これにより、配線用孔５２からの熱風が第２の配線孔用発泡材９２から収容空間４１側に漏れ出て収容空間４１に入り込むことが抑制される。
【００８９】
また図７（ａ）に示されるように、通路閉塞構造ＲＣ２において、第１引戸２０Ａおよび無目４０が加熱されることにより、外側発泡材９４が加熱されたとき、外側発泡材９４が膨張し、煙返し７０の入口側の空気通路を閉塞する。このとき、無目側煙返し片７１の下側水平片７１Ａが外側発泡材９４の下方への膨張を規制するため、外側発泡材９４は上方に膨張する。このため、煙返し７０の入口側の空気通路が効果的に閉塞される。このため、煙返し７０内に熱風が入り込むことが抑制される。
【００９０】
そして第１引戸２０Ａおよび無目４０がさらに加熱されることにより、第１引戸２０Ａの熱膨張により上方に伸長する。このとき、図７（ｂ）に示されるように、第１引戸２０Ａの上方への伸長により、内側発泡材９３と内側規制部材１０３との間の隙間が小さくなる。加えて、第１引戸２０Ａが上方に伸長したとき、引戸側煙返し片７２の下方垂直片７２Ｂと内側規制部材１０３の第２平板１０３Ｂとが前後方向ＺＣにおいて対向する。これにより、前後方向ＺＣにおいて、引戸側煙返し片７２の下方垂直片７２Ｂと内側規制部材１０３の第２平板１０３Ｂとの間の隙間が煙返し７０の空気通路よりも小さくなる。このような状態において、内側発泡材９３が加熱されて内側発泡材９３が膨張し、煙返し７０の出口側の空気通路を閉塞する。そして、引戸側煙返し片７２の上側水平片７２Ａが内側発泡材９３の下方への膨張を規制するため、内側発泡材９３は上方に膨張する。このため、引戸側煙返し片７２の上側水平片７２Ａと内側規制部材１０３との間を閉塞する内側発泡材９３の密度が高くなる。これにより、熱風が内側発泡材９３から漏れ出て収容空間４１に入り込むことが抑制される。また、内側規制部材１０３の第２平板１０３Ｂにより規制された内側発泡材９３は、下方に膨張し、引戸側煙返し片７２の下方垂直片７２Ｂと内側規制部材１０３の第２平板１０３Ｂとの間の隙間を閉塞する。このように煙返し７０においては、外側発泡材９４および内側発泡材９３により二重で熱風が収容空間４１に入り込むことを抑制する構成であるため、煙返し７０を介して収容空間４１に熱風が入り込むことが一層抑制される。
【００９１】
また図８（ａ）に示されるように、通路閉塞構造ＲＣ３において、第１引戸２０Ａが加熱されて第１引戸２０Ａの熱膨張により上方に伸長したとき、図８（ｂ）に示されるように、引戸側煙返し片７２の上側水平片７２Ａと召し合わせ側規制部材１０４との間の高さ方向ＺＡの隙間が小さくなる。そして図４に示される第１発泡材９５および第２発泡材９６が加熱されることにより各発泡材９５，９６が膨張して、第１引戸２０Ａの戸先と第２引戸２０Ｂの戸先との駆動方向ＺＢにおける隙間が閉塞される。各発泡材９５，９６は、引戸側煙返し片７２の上側水平片７２Ａの上面に取り付けられているため、下方への膨張が規制されて上方に膨張する。各発泡材９５，９６は、召し合わせ側規制部材１０４の平板部１０４Ａにより上方への移動が規制される。このため、引戸側煙返し片７２の上側水平片７２Ａと召し合わせ側規制部材１０４の平板部１０４Ａとの高さ方向ＺＡの間の各発泡材９５，９６の密度が高くなる。また召し合わせ側規制部材１０４の平板部１０４Ａにより規定された各発泡材９５，９６は、第１引戸２０Ａの戸先と第２引戸２０Ｂの戸先との駆動方向ＺＢにおける隙間に入り込む。このように、各発泡材９５，９６により、第１引戸２０Ａの戸先と第２引戸２０Ｂの戸先との駆動方向ＺＢにおける隙間から収容空間４１に熱風が直接的に入り込むことが抑制される。一方、熱風は、第１引戸２０Ａの戸先と第２引戸２０Ｂの戸先との駆動方向ＺＢにおける隙間を介して各引戸２０Ａ，２０Ｂの背面側に抜けた後、収容空間４１に入り込む場合がある。しかし、各引戸２０Ａ，２０Ｂの背面側に抜けた熱風は、室内空間と触れるため、急激に温度が低下する。その状態において、熱風が収容空間４１に入り込んでも収容空間４１の温度の上昇が抑制される。
【００９２】
このように、防火戸１は、通路閉塞構造ＲＣ１〜ＲＣ３により、室外空間の空気が室内空間の空気に触れることなく、室外空間が収容空間４１に連通する空気通路を閉塞している。このため、収容空間４１内に熱風が入り込むことが抑制されるため、収容空間４１内の温度、ひいては駆動部３０の温度が上昇しにくくなる。
【００９３】
第１の実施形態の防火戸１は、さらに以下の効果を奏する。
（１）第１発泡材９５および第２発泡材９６は、召し合わせ部８０において引戸側煙返し片７２の上側水平片７２Ａの上面に取り付けられている。すなわち、第１発泡材９５は第１引戸２０Ａ側の召し合わせ部８０により下方から支持され、第２発泡材９６は第２引戸２０Ｂ側の召し合わせ部８０により下方から支持されている。この構成によれば、空気通路の開口部となる第１引戸２０Ａと第２引戸２０Ｂとの間の隙間の上方の開口部の両側に各発泡材９５，９６が位置するため、各発泡材９５，９６が膨張するとき、開口部を閉塞しやすくなる。このため、開口部を閉塞する各発泡材９５，９６の密度が高くなり、熱風が各発泡材９５，９６から漏れ出すことを一層抑制することができる。加えて、各発泡材９５，９６がその自重により上側水平片７２Ａから剥がれることが抑制される。
【００９４】
（２）第１発泡材９５および第２発泡材９６は、召し合わせ部８０の凹凸形状に沿って取り付けられている。このため、各発泡材９５，９６を空気通路の開口部となる第１引戸２０Ａと第２引戸２０Ｂとの隙間の上方の開口部に近接して配置することができる。このため、複雑な開口部の形状に対しても各発泡材９５，９６が膨張して開口部を十分に閉塞することができる。
【００９５】
（３）召し合わせ側規制部材１０４は、第１発泡材９５および第２発泡材９６の膨張を規制して各発泡材９５，９６の密度を高めるためには、各発泡材９５，９６の近くに配置されることが好ましい。このため、召し合わせ側規制部材１０４は、召し合わせ部８０の上方において召し合わせ部８０の近くに配置することが考えられる。
一方、第１引戸２０Ａおよび第２引戸２０Ｂは、熱膨張により上方に伸長する。このため、召し合わせ側規制部材１０４が召し合わせ部８０の上方において召し合わせ部８０の近くに配置された場合、各引戸２０Ａ，２０Ｂが熱膨張により上方に伸長するときに召し合わせ側規制部材１０４と干渉し、召し合わせ側規制部材１０４が撓んでしまうおそれがある。
このような事情のもと、本願発明者は、各引戸２０Ａ，２０Ｂが熱膨張により上方に伸長した状態を基準として、その状態の召し合わせ部８０に対して召し合わせ側規制部材１０４を近くに配置できるような位置に召し合わせ側規制部材１０４を配置することを知見した。
このような知見のもと、召し合わせ側規制部材１０４は、熱膨張により第１引戸２０Ａおよび第２引戸２０Ｂが上方に伸長した場合に各発泡材９５，９６が召し合わせ部８０と召し合わせ側規制部材１０４との間の空間を閉塞可能な位置に配置されている。このため、各発泡材９５，９６が加熱されることにより膨張して召し合わせ部８０と召し合わせ側規制部材１０４との間の空間が閉塞されるとともに召し合わせ側規制部材１０４により各発泡材９５，９６の膨張が規制されるため、開口部を閉塞する各発泡材９５，９６の密度を高めることができる。加えて、召し合わせ側規制部材１０４と召し合わせ部８０とが干渉することにより召し合わせ側規制部材１０４が撓むことを抑制することができる。
【００９６】
（４）外側発泡材９４は、無目側煙返し片７１の下側水平片７１Ａにより下方から支持され、内側発泡材９３は、引戸側煙返し片７２の上側水平片７２Ａにより下方から支持されている。この構成によれば、各発泡材９３，９４がその自重により各水平片７１Ａ，７２Ａから剥がれることを抑制することができる。したがって、外側発泡材９４が下側水平片７１Ａから脱落して煙返し７０の空気通路を閉塞できないこと、および、内側発泡材９３が上側水平片７２Ａから脱落して内側規制部材１０３と上側水平片７２Ａとの間の隙間および開口部７３のそれぞれを閉塞できないことを抑制することができる。
【００９７】
（５）第１の規制部材１０１が収容空間４１内に配置され、第１の配線孔用発泡材９１が第１の規制部材１０１の配線用孔５１側の面に取り付けられている。これにより、第１の配線孔用発泡材９１が膨張して配線用孔５１を閉塞するため、配線用孔５１からの熱風が第１の規制部材１０１側に入り込むことが抑制される。このため、熱風が第１の規制部材１０１に直接的に当たることを抑制し、第１の規制部材１０１を熱して収容空間４１内の温度が上昇してしまうことを抑制することができる。なお、第２の規制部材１０２についても同様の効果が得られる。
【００９８】
（６）第１の配線孔用発泡材９１は、配線用孔５１と対向し、かつ配線用孔５１の開口面積以上の面積を有する。このため、配線用孔５１を十分に閉塞することができる。
【００９９】
（７）召し合わせ側規制部材１０４は、点検カバー４８を正面側から支持している。このため、点検カバー４８を支持する支持部材を召し合わせ側規制部材１０４とは個別に形成した構成と比較して、防火戸１の部品点数を減らすことができる。
【０１００】
（８）第１の規制部材１０１は、無目取付型センサ６１の配線６１Ａを配線用孔５１から収容空間４１内に引き込んだ後、ボルト３１０により芯材４９に固定される。このため、第１の規制部材１０１が配線６１Ａの配線作業の邪魔になることを防ぐことができる。
【０１０１】
（９）第２の規制部材１０２は、正面側光電センサ６２の投光器６２Ａの配線６２Ｃを配線用孔５２から収容空間４１内に引き込んだ後、ボルト３２０により芯材４９に固定される。このため、第２の規制部材１０２が配線６２Ｃの配線作業の邪魔になることを防ぐことができる。
【０１０２】
（第２の実施形態）
図９〜図１３を参照して、第２の実施形態の防火戸１について説明する。以下、第１の実施形態の防火戸１と異なる点について詳細に説明し、第１の実施形態の防火戸１と共通する構成については同じ符号を用いてその説明を省略する。第２の実施形態の防火戸１は、図９に示されるように、片引き式の防火戸１である。このため、無目４０の駆動方向ＺＢの寸法は、第１の実施形態の無目４０の駆動方向ＺＢの寸法よりも小さい。
【０１０３】
一対の縦枠２の間には、１つの固定壁１０と、駆動方向ＺＢに沿って移動する引戸２０とが設けられている。固定壁１０と引戸２０側の縦枠２との間には、出入口が形成されている。引戸２０は、固定壁１０よりも背面側において、出入口を開閉可能なように配置されている。なお、引戸２０はドアの一例であり、防火戸１は、引戸に代えて、駆動部３０により駆動される開戸、または、駆動部３０により駆動される折戸を備えていてもよい。
【０１０４】
図１０に示されるように、無目４０の側壁４５における正面壁４２側かつ上方には、配線用孔５４が形成される一方、側壁４５における背面側かつ上方に形成された配線用孔５３が省略されている。配線用孔５４は、通路閉塞構造ＲＣ１と同様に、通路閉塞構造ＲＣ４が設けられている。
【０１０５】
詳細には、通路閉塞構造ＲＣ４は、配線用孔５４と駆動方向ＺＢに隙間を置いて対向する規制部材の一例である第３の規制部材１０５を備える。第３の規制部材１０５は、前後方向ＺＣおよび高さ方向ＺＡに延びる第１平板１０５Ａと、第１平板１０５Ａの縁から駆動方向ＺＢに延びる第２平板１０５Ｂとが一体的に形成された金具である。第３の規制部材１０５は、ボルト３３０により第２平板１０５Ｂを無目４０の正面壁４２に締結することにより固定されている。第１平板１０５Ａは、側面視において前後方向ＺＣが長手となる長方形である。第１平板１０５Ａは、駆動方向ＺＢにおいて配線用孔５４と間隔を置いて対向している。第１平板１０５Ａの配線用孔５４側の面には、発泡材の一例である第３の配線孔用発泡材９７が取り付けられている。すなわち第３の配線孔用発泡材９７は、配線用孔５４と第３の規制部材１０５との間に設けられている。第３の配線孔用発泡材９７は、グラファイト系発泡材が用いられる。第３の配線孔用発泡材９７は、側壁４５と平行し、前後方向ＺＣが長手となる平板状に形成されている。第３の配線孔用発泡材９７は、配線用孔５４の開口面積よりも広い面積を有する。
【０１０６】
また、無目４０における引戸２０側の側壁４５において、正面壁４２側かつ上方には、背面側光電センサ６３の３つの受光器６３Ｂの配線６３Ｄを挿入するための配線用孔（図示略）が形成されている。この配線用孔にも配線用孔５４と同様に通路閉塞構造ＲＣ４が設けられている。
【０１０７】
図１１および図１２は、引戸２０側の縦枠２と引戸２０の戸先２８との構成を示している。
図１１に示されるように、縦枠２には、引戸２０から離れる方向に向けて凹む凹部２Ａが形成されている。引戸２０の戸先２８は、引戸２０が全閉状態のとき、縦枠２の凹部２Ａに入り込む。図１２に示されるように、引戸２０の戸先２８と凹部２Ａとの間には、衝撃緩和用の戸当たりゴム（図示略）により隙間が形成されている。この隙間は、収容空間４１と連通する空気通路の一部である。この隙間の上方の開口部は、上記空気通路における収容空間４１側の開口部である。
【０１０８】
図１１および図１２に示されるように、防火戸１には、引戸２０の戸先２８と凹部２Ａとの間の隙間と、収容空間４１（図１０参照）との空気通路を閉塞する通路閉塞構造ＲＣ５が設けられている。通路閉塞構造ＲＣ５は、加熱されることにより膨張する発泡材により、引戸２０の戸先２８と凹部２Ａとの隙間の上方の開口部を閉塞する構造を備える。
【０１０９】
詳細には、引戸２０の上端面に取り付けられた引戸側煙返し片７２の上側水平片７２Ａにおいて引戸２０の戸先２８に対応する部分の上面には、戸先２８の形状に沿って形成された発泡材の一例である凸状発泡材９８が取り付けられている。すなわち凸状発泡材９８は、引戸２０の戸先２８により下方から支持されている。凸状発泡材９８は、長さの異なる４つの直線状の発泡材により構成されている。
【０１１０】
縦枠２において引戸２０よりも上方には、規制部材の一例である補強部材１０６が設けられている。補強部材１０６は、縦枠２の凹部２Ａに嵌め込まれている。このため、補強部材１０６は、駆動方向ＺＢにおいて縦枠２と無目４０とにより挟み込まれる。補強部材１０６は、縦枠２を支持することにより、ボルト３００（図１０参照）により無目４０と縦枠２とを連結する際に、縦枠２が変形することを抑制する。補強部材１０６は、前後方向ＺＣの側面視においてＣ字状に形成された金具である。補強部材１０６は、高さ方向ＺＡにおいて間隔を置いて平行する上壁１０６Ａおよび下壁１０６Ｂと、上壁１０６Ａと下壁１０６Ｂとを連結する連結壁１０６Ｃとが一体的に形成された金具である。上壁１０６Ａおよび下壁１０６Ｂは、駆動方向ＺＢおよび前後方向ＺＣに延びる平板である。連結壁１０６Ｃは、駆動方向ＺＢにおける上壁１０６Ａおよび下壁１０６Ｂの内側規制部材１０３側の端部において上壁１０６Ａおよび下壁１０６Ｂと連続している。連結壁１０６Ｃは、高さ方向ＺＡおよび前後方向ＺＣに延びる平板である。連結壁１０６Ｃには、ボルト３００を挿入するための挿入孔１０６Ｄが形成されている。下壁１０６Ｂの高さ方向ＺＡの位置は、内側規制部材１０３の第１平板１０３Ａの高さ方向ＺＡの位置と同じである。下壁１０６Ｂは、高さ方向ＺＡにおいて凸状発泡材９８よりも上方に間隔を置いて対向している。また下壁１０６Ｂは、引戸２０の戸先２８と凹部２Ａとの間の隙間の上方の開口部よりも上方に間隔を置いて対向している。補強部材１０６は、熱膨張により引戸２０が上方に伸長した場合に凸状発泡材９８が引戸側煙返し片７２の上側水平片７２Ａと補強部材１０６の下壁１０６Ｂとの間の空間を閉塞可能な位置に配置されている。このように、凸状発泡材９８は、引戸２０が全閉状態において、引戸２０の戸先２８と補強部材１０６との間に設けられている。
【０１１１】
また、引戸２０の戸先２８の上面に取り付けられた引戸側煙返し片７２の上側水平片７２Ａにおいて戸先２８よりも正面側の部分の上面には、端部発泡材９９が取り付けられている。すなわち、端部発泡材９９は、引戸２０の戸先２８により下方から支持されている。端部発泡材９９は、凸状発泡材９８の正面側端部よりも正面側に隣り合うように配置され、かつ、内側発泡材９３と駆動方向ＺＢに隣り合う。なお、凸状発泡材９８および端部発泡材９９のそれぞれは、グラファイト系発泡材が用いられる。
【０１１２】
図１１に示されるように、内側規制部材１０３の駆動方向ＺＢの端部は、駆動方向ＺＢにおいて縦枠２に接触している。内側規制部材１０３の駆動方向ＺＢの端部は、高さ方向ＺＡにおいて端部発泡材９９と対向している。このように端部発泡材９９は、端部規制部材の一例である内側規制部材１０３の駆動方向ＺＢの端部と引戸２０の戸先２８との間に設けられている。そして内側規制部材１０３の駆動方向ＺＢの端部は、熱膨張により引戸２０が上方に伸長した場合に端部発泡材９９が引戸側煙返し片７２の上側水平片７２Ａと内側規制部材１０３の第１平板１０３Ａとの間の空間を閉塞可能な位置に配置されている。
【０１１３】
図１３（ａ）に示されるように、防火戸１の室外空間で火災が発生して引戸２０および縦枠２が加熱されることにより凸状発泡材９８が加熱されたとき、図１３（ｂ）に示されるように、引戸２０が上方に伸長するとともに凸状発泡材９８が膨張し、引戸２０の戸先２８と縦枠２の凹部２Ａとの隙間における上方の開口部を閉塞する。このため、引戸２０の戸先２８と凹部２Ａとの隙間に入り込んだ熱風が隙間の上方の開口部を介して収容空間４１に入り込むことが抑制される。すなわち、引戸２０の戸先２８と凹部２Ａとの隙間に入り込んだ熱風が、室内空間に接することなく、収容空間４１に直接的に入り込むことが抑制される。また凸状発泡材９８の上方への膨張は、補強部材１０６の下壁１０６Ｂにより規制されるため、引戸２０の戸先２８と凹部２Ａとの隙間の上方の開口部を閉塞する凸状発泡材９８の密度が高くなる。このため、熱風が凸状発泡材９８から収容空間４１側に漏れ出て、収容空間４１に入り込むことを抑制することができる。
【０１１４】
ところで、補強部材１０６が縦枠２の凹部２Ａに収容されるため、補強部材１０６は縦枠２の凹部２Ａと引戸２０の戸先２８との間の隙間を閉塞する凸状発泡材９８の密度を高めることに寄与する一方、縦枠２の凹部２Ａ以外の部分と引戸２０の戸先２８との間の隙間を閉塞する発泡材の密度を高めることには十分に寄与しない。
【０１１５】
そこで、図１１および図１２に示されるように、内側規制部材１０３の駆動方向ＺＢの端部が引戸２０の戸先２８よりも正面側の部分を上方から覆い、引戸２０の戸先２８よりも正面側の部分に端部発泡材９９が設けられている。これにより、引戸２０および縦枠２が加熱されることにより端部発泡材９９が加熱されたとき、端部発泡材９９が膨張し、引戸２０の戸先２８の正面側の部分とこの部分と駆動方向ＺＢに対向する縦枠２との間の隙間における上方の開口部を閉塞する。このため、引戸２０の戸先２８の正面側の部分と縦枠２との間の隙間に入り込んだ熱風が引戸２０の戸先２８の正面側の部分と縦枠２との隙間の上方の開口部を介して収容空間４１に入り込むことが抑制される。すなわち、引戸２０の戸先２８の正面側の部分と縦枠２との隙間に入り込んだ熱風が、室内空間に接することなく、収容空間４１に直接的に入り込むことが抑制される。また端部発泡材９９の上方への膨張は、内側規制部材１０３の駆動方向ＺＢの端部により規制されるため、引戸２０の戸先２８の正面側の部分と縦枠２との隙間を閉塞する端部発泡材９９の密度が高くなる。このため、熱風が端部発泡材９９から収容空間４１側に漏れ出て、収容空間４１に入り込むことを抑制することができる。
【０１１６】
第２の実施形態の防火戸１は、第１の実施形態の防火戸１に準じた効果に加え、以下の効果が得られる。
（１０）補強部材１０６は、ボルト３００により無目４０と縦枠２とを連結する際に、縦枠２が変形することを抑制する機能と、凸状発泡材９８の上方への膨張を規制する機能とを兼ねる。このため、凸状発泡材９８の上方への膨張を規制する規制部材が補強部材１０６とは個別に形成される構成と比較して、防火戸１の部品点数が減る。加えて、規制部材および補強部材１０６の両方の取り付け作業を行う必要がないため、防火戸１を組み付ける際の作業を減らすことができる。
【０１１７】
（１１）補強部材１０６は、熱膨張により引戸２０が上方に伸長した場合に凸状発泡材９８が引戸側煙返し片７２の上側水平片７２Ａと補強部材１０６の下壁１０６Ｂとの間の空間を閉塞可能な位置に配置されている。このため、凸状発泡材９８が加熱されることにより膨張して上側水平片７２Ａと補強部材１０６の下壁１０６Ｂとの間の空間が閉塞されるとともに補強部材１０６により引戸２０の戸先２８と縦枠２の凹部２Ａとの隙間を閉塞する凸状発泡材９８の密度を高めることができる。加えて、引戸２０の戸先２８が補強部材１０６と干渉することにより補強部材１０６が撓むことを抑制することができる。
【０１１８】
（１２）凸状発泡材９８および端部発泡材９９は、引戸２０の戸先２８により下方から支持されている。このため、凸状発泡材９８および端部発泡材９９が自重により上側水平片７２Ａ（引戸２０の戸先２８）から剥がれることを抑制することができる。
【０１１９】
（１３）内側規制部材１０３の駆動方向ＺＢの端部は、熱膨張により引戸２０が上方に伸長した場合に端部発泡材９９が引戸側煙返し片７２の上側水平片７２Ａと内側規制部材１０３の第１平板１０３Ａとの間の空間を閉塞可能な位置に配置されている。このため、端部発泡材９９が加熱されることにより膨張して上側水平片７２Ａと内側規制部材１０３の第１平板１０３Ａとの間の空間が閉塞されるとともに内側規制部材１０３により引戸２０の戸先２８における正面側の部分と縦枠２の凹部２Ａとの隙間を閉塞する端部発泡材９９の密度を高めることができる。加えて、引戸２０の戸先２８が内側規制部材１０３の第１平板１０３Ａと干渉することにより内側規制部材１０３が撓むことを抑制することができる。
【０１２０】
（変形例）
上記各実施形態に関する説明は、本発明に従う防火戸が取り得る形態の例示であり、その形態を制限することを意図していない。本発明に従う防火戸は、例えば以下に示される各実施形態の変形例、および、相互に矛盾しない少なくとも２つの変形例が組み合わせられた形態を取り得る。
【０１２１】
（変形例１）
発泡材の配置を、例えば以下の（ａ）〜（ｈ）のようにしてもよい。
（ａ）上記各実施形態において、図１４（ａ）に示されるように、第１の配線孔用発泡材９１を無目４０の内部または外部において、配線用孔５１の周囲に直接取り付ける。この場合、図１４（ｂ）に示されるように、第１の規制部材１０１は、配線用孔５１および第１の配線孔用発泡材９１と駆動方向ＺＢに対向することが好ましい。またこの場合、上記各実施形態の第１の配線孔用発泡材９１を第１の規制部材１０１の配線用孔５１側の面にさらに取り付けてもよい。
（ｂ）上記各実施形態において、第１の配線孔用発泡材９１と同様に、第２の配線孔用発泡材９２を無目４０の内部または外部において、配線用孔５２の周囲に直接取り付ける。またこの場合、上記各実施形態の第２の配線孔用発泡材９２を第２の規制部材１０２の配線用孔５２側の面にさらに取り付けてもよい。
（ｃ）上記各実施形態の内側発泡材９３に代えてまたは加えて、内側発泡材９３を内側規制部材１０３の第１平板１０３Ａの下面に取り付ける。
（ｄ）上記各実施形態において外側発泡材９４を省略する。
（ｅ）上記第１の実施形態に第１発泡材９５および第２発泡材９６に代えてまたは加えて、第１発泡材９５および第２発泡材９６の少なくとも一方を召し合わせ側規制部材１０４の平板部１０４Ａに取り付ける。
（ｆ）上記第２の実施形態において、第１の配線孔用発泡材９１と同様に、第３の配線孔用発泡材９７を無目４０の内部または外部において、配線用孔５４の周囲に直接取り付ける。またこの場合、上記第２の実施形態の第３の配線孔用発泡材９７を第３の規制部材１０５の配線用孔５４側の面にさらに取り付けてもよい。
（ｇ）上記第２の実施形態の凸状発泡材９８に代えてまたは加えて、凸状発泡材９８を補強部材１０６の下壁１０６Ｂの下面に取り付ける。
（ｈ）上記第２の実施形態の端部発泡材９９に代えてまたは加えて、内側規制部材１０３の第１平板１０３Ａの下面に取り付ける。
【０１２２】
（変形例２）
上記各実施形態において、第１の規制部材１０１を正面壁４２にボルトを介して固定してもよい。また第２の規制部材１０２を底壁４３にボルトを介して固定してもよい。すなわち、この変形例の防火戸１は、芯材４９を有さない。
【０１２３】
（変形例３）
上記第１の実施形態において、無目４０に設けられ、点検カバー４８を正面側から支持する支持部材を召し合わせ側規制部材１０４とは個別に形成してもよい。この場合、例えば、召し合わせ側規制部材１０４は、支持部材よりも下方に配置される。
【０１２４】
（変形例４）
上記第１の実施形態において、第１発泡材９５および第２発泡材９６の少なくとも一方は、例えば前後方向ＺＣに延びる直線形状等の召し合わせ部８０の凹凸形状に沿わない形状に変更してもよい。
【０１２５】
（変形例５）
上記第２の実施形態において、補強部材１０６と、凸状発泡材９８の膨張を規制する規制部材とを個別に形成してもよい。この場合、規制部材は、図１０に示される補強部材１０６の下壁１０６Ｂと同じ位置に配置される。そして変形例の補強部材１０６は、規制部材よりも上方に配置される。また規制部材を備える場合、補強部材１０６を省略してもよい。
【０１２６】
（変形例６）
上記第２の実施形態において、内側規制部材１０３の端部と縦枠２との駆動方向ＺＢには、間隔が形成されてもよい。この場合、上記間隔を埋めるように、端部規制部材が内側規制部材１０３とは個別に設けられる。端部規制部材は、駆動方向ＺＢにおいて内側規制部材１０３および縦枠２のそれぞれに接触する。端部規制部材は、高さ方向ＺＡに間隔を置いて端部発泡材９９と対向する。
【０１２７】
（変形例７）
上記各実施形態において、第１の配線孔用発泡材９１が膨張することにより配線用孔５１を閉塞可能であれば、第１の配線孔用発泡材９１の面積が配線用孔５１の開口面積よりも小さくてもよい。また第２の配線孔用発泡材９２および第３の配線孔用発泡材９７についても同様に変更することができる。
【符号の説明】
【０１２８】
１      防火戸
２      縦枠
２Ａ    凹部
２０    引戸（ドア）
２０Ａ  第１引戸（ドア）
２６    凸部
２７    凹部
２８    戸先
２０Ｂ  第２引戸（ドア）
３０    駆動部
４０    無目
４１    収容空間
４８    点検カバー（開閉カバー）
５１    配線用孔
５２    配線用孔
５３    配線用孔
５４    配線用孔
５５Ｃ  配線用孔
５６Ｃ  配線用孔
６１Ａ  配線
６２Ｃ  配線
６３Ｃ  配線
７０    煙返し
７１    無目側煙返し片
７１Ａ  下側水平片
７１Ｂ  上方垂直片
７２    引戸側煙返し片（ドア側煙返し片）
７２Ａ  上側水平片
７２Ｂ  下方垂直片
７３    開口部
８０    召し合わせ部
９１    第１の配線孔用発泡材（発泡材）
９２    第２の配線孔用発泡材（発泡材）
９３    内側発泡材（発泡材）
９４    外側発泡材
９５    第１発泡材（発泡材）
９６    第２発泡材（発泡材）
９７    第３の配線孔用発泡材（発泡材）
９８    凸状発泡材（発泡材）
９９    端部発泡材（発泡材）
１０１  第１の規制部材（規制部材）
１０２  第２の規制部材（規制部材）
１０３  内側規制部材（規制部材、端部規制部材）
１０４  召し合わせ側規制部材（規制部材）
１０５  第３の規制部材（規制部材）
１０６  補強部材（規制部材）
３００  ボルト
ＺＢ    駆動方向
ＺＣ    前後方向
【図１】
2020073755.tif 000003
【図２】
2020073755.tif 000004
【図３】
2020073755.tif 000005
【図４】
2020073755.tif 000006
【図５】
2020073755.tif 000007
【図６】
2020073755.tif 000008
【図７】
2020073755.tif 000009
【図８】
2020073755.tif 000010
【図９】
2020073755.tif 000011
【図１０】
2020073755.tif 000012
【図１１】
2020073755.tif 000013
【図１２】
2020073755.tif 000014
【図１３】
2020073755.tif 000015
【図１４】
2020073755.tif 000016
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
ドアと、
前記ドアを駆動する駆動部と、
前記ドアの上方に配置され、前記駆動部および前記ドアの上端部を収容する収容部と、
前記ドアの上端部が前記収容部の内側に形成する隙間の近傍に配置され、加熱されることにより膨張して前記隙間の少なくとも一部を覆う発泡材と、を備える
防火戸。
【請求項２】
前記発泡材は、前記ドアの戸先の上端部に設けられる
請求項１に記載の防火戸。
【請求項３】
前記ドアは、第１ドアおよび第２ドアを含む引き分けドアであり、
前記発泡材は、前記第１ドアおよび前記第２ドアの双方に設けられる
請求項１または２に記載の防火戸。
【請求項４】
前記隙間の近傍に前記隙間に対向して設けられ、前記発泡材の膨張を規制する規制部材をさらに備える
請求項１〜３のいずれか一項に記載の防火戸。
【請求項５】
前記発泡材は、前記規制部材に設けられる
請求項４に記載の防火戸。
【請求項６】
水平に延びる上側水平片および前記上側水平片の縁から下方に延びる下方垂直片を含むドア側煙返し片と、前記上側水平片よりも下側に設けられ水平に延びる下側水平片および前記下側水平片の縁から上方に延び前記下方垂直片と前後方向に対向する上方垂直片を含む無目側煙返し片と、を有する煙返しを備え、
前記発泡材は、前記ドア側煙返し片と前記無目側煙返し片との間に設けられる
請求項１〜５のいずれか一項に記載の防火戸。
【手続補正２】
【補正対象書類名】明細書
【補正対象項目名】０００９
【補正方法】変更
【補正の内容】
【０００９】
〔１〕本発明の一形態に従う防火戸は、ドアと、前記ドアを駆動する駆動部と、前記ドアの上方に配置され、前記駆動部および前記ドアの上端部を収容する収容部と、前記ドアの上端部が前記収容部の内側に形成する隙間の近傍に配置され、加熱されることにより膨張して前記隙間の少なくとも一部を覆う発泡材と、を備える。
〔２〕上記防火戸に従属する一形態によれば、前記発泡材は、前記ドアの戸先の上端部に設けられる。
〔３〕上記防火戸に従属する一形態によれば、前記ドアは、第１ドアおよび第２ドアを含む引き分けドアであり、前記発泡材は、前記第１ドアおよび前記第２ドアの双方に設けられる。
〔４〕上記防火戸に従属する一形態によれば、前記隙間の近傍に前記隙間に対向して設けられ、前記発泡材の膨張を規制する規制部材をさらに備える。
〔５〕上記防火戸に従属する一形態によれば、前記発泡材は、前記規制部材に設けられる。
〔６〕上記防火戸に従属する一形態によれば、水平に延びる上側水平片および前記上側水平片の縁から下方に延びる下方垂直片を含むドア側煙返し片と、前記上側水平片よりも下側に設けられ水平に延びる下側水平片および前記下側水平片の縁から上方に延び前記下方垂直片と前後方向に対向する上方垂直片を含む無目側煙返し片と、を有する煙返しを備え、前記発泡材は、前記ドア側煙返し片と前記無目側煙返し片との間に設けられる。
〔１〕他の発明の一形態に従う防火戸は、ドアと、前記ドアを駆動する駆動部と、前記駆動部を収容する収容空間を有し、前記ドアの上方に配置された無目と、加熱されることにより膨張して、前記収容空間と連通する空気通路における前記収容空間と連通する側の開口部を閉塞する発泡材と、前記開口部と間隔を置いて対向して設けられる規制部材とを備える。